(57)【特許請求の範囲】
【請求項１】
複数の第１通信装置と、複数の第２通信装置と、前記複数の第１通信装置と前記複数の第２通信装置の各々に設定された複数の仮想装置との間の論理パスを制御する制御装置と、を有する論理パス制御システムであって、
前記制御装置は、
前記複数の第１通信装置の内、加入者数が多い方から所定数の第１通信装置を選択し、選択された第１通信装置を、前記複数の仮想装置との間に前記論理パスを設定する第１通信装置として決定する決定部と、
前記決定部により決定された第１通信装置と、前記複数の仮想装置との間に、前記論理パスを設定する設定部と
を有することを特徴とする論理パス制御システム。
【請求項２】
前記加入者数は、前記複数の第１通信装置により提供される特定サービスの加入者数であることを特徴とする請求項１に記載の論理パス制御システム。
【請求項３】
前記制御装置の決定部は、前記複数の第２通信装置の内、リソースに所定量以上の空きのある第２通信装置を選択し、選択された第２通信装置に設定された仮想装置を、前記論理パスを設定する仮想装置として決定することを特徴とする請求項１に記載の論理パス制御システム。
【請求項４】
制御装置が、複数の第１通信装置と複数の第２通信装置の各々に設定された複数の仮想装置との間の論理パスを制御する論理パス制御方法であって、
前記複数の第１通信装置の内、加入者数が多い方から所定数の第１通信装置を選択し、選択された第１通信装置を、前記複数の仮想装置との間に前記論理パスを設定する第１通信装置として決定する決定工程と、
前記決定工程にて決定された第１通信装置と、前記複数の仮想装置との間に、前記論理パスを設定する設定工程と
を含むことを特徴とする論理パス制御方法。
【発明の詳細な説明】
【技術分野】
【０００１】
本発明は、論理パス制御システム、及び論理パス制御方法に関する。
【背景技術】
【０００２】
従来、キャリア通信網における加入者情報やトラヒックの処理は、物理装置に設定された複数の仮想エッジ装置（ＶＮＦ：Virtual  Network  Functions）と、複数の加入者収容装置（ＯＬＴ：Optical  Line  Terminal）との間に設定された論理パスを用いて行われる。図１２は、従来技術における論理パスの設定方法を説明するための図である。図１２において、利用中の仮想エッジ装置２５１−１、２５３−１、２５Ｘ−１（Ｘは自然数）及び利用中の論理パスＬ２０１ａ、Ｌ２０２ｂ、Ｌ２０３ａ、Ｌ２０４ａを実線により示し、移行可能性のある仮想エッジ装置２５２−１及び移行可能性のある仮想エッジ装置との論理パスＬ２０１ｂ、Ｌ２０１ｃ、Ｌ２０２ａ、Ｌ２０２ｃ、Ｌ２０３ｂ、Ｌ２０３ｃ、Ｌ２０４ｂ、Ｌ２０４ｃを破線により示す。
【０００３】
図１２に示す様に、物理装置のリソース再割当て等により、仮想エッジ装置（ＶＮＦ）が別の物理装置へ移動（Ｖｍｏｔｉｏｎ）する可能性があるため、従来の論理パス管理制御装置２１０は、事前に、論理パスをフルメッシュで設定しておくこととなる。例えば、物理装置２５０−１では仮想エッジ装置２５１−１が利用されているが、リソース割当てが更新されると、仮想エッジ装置２５１−１は、従前の物理装置２５０−１から別の物理装置２５０−２、２５０−Ｙ（Ｙは自然数）へ移行する可能性がある。このため、論理パス管理制御装置２１０は、該移行に備えて事前に、利用中の論理パスＬ２０１ａに加えて、現時点では利用されていない論理パスＬ２０１ｂ、Ｌ２０１ｃを設定する。
【先行技術文献】
【非特許文献】
【０００４】
【非特許文献１】望月このみ、山崎裕史、三澤明、“エッジクラウド実現に向けた仮想マシン再配置方式の提案”、信学技報（NS2013-6）、pp.25-30、2013年4月
【発明の概要】
【発明が解決しようとする課題】
【０００５】
しかしながら、上述した従来の技術には、以下の様な問題点があった。すなわち、従来技術における論理パスの設定方法では、物理装置間での仮想エッジ装置用のリソース再割当てによる仮想エッジ装置の移動を考慮し、仮想エッジ装置を収容する全ての物理装置と全ての加入者収容装置との間において、事前にフルメッシュでの論理パスの設定が行われる。従って、論理パスネットワークのスケールが増大し、論理パス管理制御装置２１０による管理対象の論理パス数が膨大になる可能性がある。その結果、論理パスの管理や制御が困難となる。
【０００６】
開示の技術は、上記に鑑みてなされたものであって、論理パスの数を削減することができる論理パス制御システム、及び論理パス制御方法を提供することを目的とする。
【課題を解決するための手段】
【０００７】
上述した課題を解決し、目的を達成するために、本願の開示する論理パス制御システムは、一つの態様において、複数の第１通信装置と、複数の第２通信装置と、前記複数の第１通信装置と前記複数の第２通信装置の各々に設定された複数の仮想装置との間の論理パスを制御する制御装置と、を有する。前記制御装置は、前記複数の第１通信装置の中から、前記複数の仮想装置との間に前記論理パスを設定する第１通信装置を決定する決定部と、前記決定部により決定された第１通信装置と、前記複数の仮想装置との間に、前記論理パスを設定する設定部とを有する。
【０００８】
また、本願の開示する論理パス制御方法は、一つの態様において、制御装置が、複数の第１通信装置と複数の第２通信装置の各々に設定された複数の仮想装置との間の論理パスを制御する。前記論理パス制御方法は、前記複数の第１通信装置の中から、前記複数の仮想装置との間に前記論理パスを設定する第１通信装置を決定する決定工程と、前記決定工程にて決定された第１通信装置と、前記複数の仮想装置との間に、前記論理パスを設定する設定工程とを含む。
【発明の効果】
【０００９】
本願の開示する論理パス制御システム、及び論理パス制御方法は、論理パスの数を削減することができるという効果を奏する。
【図面の簡単な説明】
【００１０】
【図１】図１は、方式１−１に係る論理パス制御システムの構成を示す図である。
【図２】図２は、方式１−２に係る論理パス制御システムの構成を示す図である。
【図３】図３は、方式１−３に係る論理パス制御システムの構成を示す図である。
【図４】図４は、論理パス管理制御装置の構成を示す図である。
【図５】図５は、加入者収容装置管理制御装置の構成を示す図である。
【図６】図６は、仮想エッジ管理制御装置の構成を示す図である。
【図７】図７は、加入者収容装置の構成を示す図である。
【図８】図８は、物理装置の構成を示す図である。
【図９】図９は、論理パス制御システムの動作を説明するための図である。
【図１０】図１０は、論理パス制御システムの変形例を説明するための図である。
【図１１】図１１は、論理パス制御プログラムによる情報処理がコンピュータを用いて具体的に実現されることを示す図である。
【図１２】図１２は、従来技術における論理パスの設定方法を説明するための図である。
【発明を実施するための形態】
【００１１】
以下に、本願の開示する論理パス制御システム、及び論理パス制御方法の実施例を、図面を参照しながら詳細に説明する。なお、以下の実施例により本願の開示する論理パス制御システム、及び論理パス制御方法が限定されるものではない。
【００１２】
まず、本願の開示する一実施例に係る論理パス制御システムの構成を説明する。
【００１３】
（方式１−１）
図１は、方式１−１に係る論理パス制御システム１の構成を示す図である。図１に示す様に、論理パス制御システム１は、論理パス管理制御装置１０と、加入者収容装置管理制御装置２０と、仮想エッジ管理制御装置３０と、加入者収容装置（ＯＬＴ）４０−１、４０−２、４０−３、４０−Ｘ（Ｘは自然数）と、物理装置５０−１、５０−２、５０−Ｙ（Ｙは自然数）とを有する。加入者収容装置４０−１、４０−２、４０−３、４０−Ｘと物理装置５０−１、５０−２、５０−Ｙとの間には、複数の論理パスＬ１ａ、Ｌ１ｂ、Ｌ１ｃ、Ｌ２ａ、Ｌ２ｂ、Ｌ２ｃ、Ｌ３ａ、Ｌ４ａにより、論理パスネットワークＮが形成される。
【００１４】
論理パス管理制御装置１０は、移行可能性仮想エッジ装置（ＶＮＦ）を決定し、論理パスを設定する。例えば、論理パス管理制御装置１０は、収集した加入者数情報を基に、上位Ｋ（Ｋは自然数）個の移行可能性仮想エッジ装置を選出し、該装置と加入者収容装置４０−１、４０−２、４０−３、４０−Ｘとの間に論理パスを設定する。具体的には、加入者収容装置４０−１、４０−２は何れも加入者数が４５０人以上と多いため、上位Ｋ個の加入者収容装置に選出され、仮想エッジ装置の移行の可能性があるので、事前の論理パス設定が実行される。すなわち、加入者収容装置４０−１と仮想エッジ装置５１−１、５１−２、５１−Ｙとの間には、それぞれ論理パスＬ１ａ、Ｌ１ｂ、Ｌ１ｃが設定される。同様に、加入者収容装置４０−２と仮想エッジ装置５２−１、５２−２、５２−Ｙとの間には、それぞれ論理パスＬ２ａ、Ｌ２ｂ、Ｌ２ｃが設定される。
【００１５】
これに対し、加入者数が５０人以下と少ない加入者収容装置４０−３、４０−Ｘは、上位Ｋ個の加入者収容装置に選出されず、リソース再割当てに伴う仮想エッジ装置の移行が発生する可能性が無いため、事前の論理パスの設定は不要であると判定される。従って、加入者収容装置４０−３については、物理装置５０−１の仮想エッジ装置５３−１との間にのみ論理パスＬ３ａ（利用中の論理パス）が設定される。同様に、加入者収容装置４０−Ｘについては、物理装置５０−１の仮想エッジ装置５Ｘ−１との間にのみ論理パスＬ４ａ（利用中の論理パス）が設定される。これにより、論理パス管理制御装置１０の管理及び制御対象となる論理パスの数は、例えば、従前の１２本（＝３本×４装置）から８本（＝３本×２装置＋２装置）に減少する。
【００１６】
（方式１−２）
図２は、方式１−２に係る論理パス制御システム２の構成を示す図である。図２に示す様に、方式１−２に係る論理パス制御システム２の構成は、上述した方式１−１に係る論理パス制御システム１の構成と同様である。従って、共通する構成要素には、同一の参照符号を用いると共に、その詳細な説明は省略する。
【００１７】
論理パス制御システム２では、論理パス管理制御装置１０は、移行可能性仮想エッジ装置を決定するためのパラメータとして、加入者数に加えて、物理装置のリソース状況を考慮する。具体的には、方式１−１では、論理パス管理制御装置１０は、物理装置５０−１、５０−２、５０−Ｙのリソース状況に拘らず、加入者数の多い加入者収容装置４０−１、４０−２からの論理パスを優先的に設定するものとしたが、方式１−２では、リソースに空きのある物理装置５０−１、５０−２のみに論理パスを設定する。すなわち、論理パス管理制御装置１０は、リソース状況の高い物理装置５０−Ｙへは仮想エッジ装置は移行しないものと判定し、物理装置５０−Ｙと加入者収容装置４０−１、４０−２との間の論理パスＬ１ｃ、Ｌ２ｃ（図１参照）を設定しない。これにより、論理パスの設定数の更なる削減が可能となる。
【００１８】
（方式１−３）
図３は、方式１−３に係る論理パス制御システム３の構成を示す図である。図３に示す様に、方式１−３に係る論理パス制御システム３の構成は、上述した方式１−１に係る論理パス制御システム１の構成と同様である。従って、共通する構成要素には、同一の参照符号を用いると共に、その詳細な説明は省略する。
【００１９】
方式１−３が方式１−１と異なる点は、移行可能性仮想エッジ装置の選出に際して特定サービスの加入者数を用いる点である。すなわち、方式１−３に係る論理パス管理制御装置１０は、収集した特定サービスの加入者数情報を基に、上位Ｋ個の移行可能性仮想エッジ装置を選出し、該装置と加入者収容装置４０−１、４０−２、４０−３、４０−Ｘとの間に論理パスを設定する。
【００２０】
具体的には、加入者収容装置４０−１、４０−２は何れも特定サービス加入者数が４５０人以上と多いため、上位Ｋ個の加入者収容装置に選出され、仮想エッジ装置の移行の可能性があるので、事前の論理パス設定が実行される。すなわち、加入者収容装置４０−１と仮想エッジ装置５１−１、５１−２、５１−Ｙとの間には、それぞれ論理パスＬ１ａ、Ｌ１ｂ、Ｌ１ｃが設定される。同様に、加入者収容装置４０−２と仮想エッジ装置５２−１、５２−２、５２−Ｙとの間には、それぞれ論理パスＬ２ａ、Ｌ２ｂ、Ｌ２ｃが設定される。
【００２１】
これに対し、特定サービス加入者数が５０人以下と少ない加入者収容装置４０−３、４０−Ｘは、上位Ｋ個の加入者収容装置に選出されず、リソース再割当てに伴う仮想エッジ装置の移行が発生する可能性が無いため、事前の論理パスの設定は不要であると判定される。従って、加入者収容装置４０−３については、物理装置５０−１の仮想エッジ装置５３−１との間にのみ論理パスＬ３ａ（利用中の論理パス）が設定される。同様に、加入者収容装置４０−Ｘについては、物理装置５０−１の仮想エッジ装置５Ｘ−１との間にのみ論理パスＬ４ａ（利用中の論理パス）が設定される。これにより、方式１−１と同様に、論理パス数の削減が可能となる。
【００２２】
（方式１−４）
図示及び詳細な説明は省略するが、方式１−３に係る論理パス制御システム３においても、論理パス管理制御装置１０は、方式１−２に係るリソース状況の参照を行うことができる。これにより、論理パスの設定数の更なる削減が可能となる。
【００２３】
次に、論理パス制御システム１を構成する各装置の構成を説明する。
【００２４】
図４は、論理パス管理制御装置１０の構成を示す図である。図４に示す様に、論理パス管理制御装置１０は、論理パス管理部１１ａと論理パス設定部１１ｂと移行可能性論理パス計算部１２と加入者収容装置情報格納部１３ａと仮想エッジ情報格納部１３ｂと加入者収容装置情報収集部１４ａと仮想エッジ情報収集部１４ｂと入出力部１５とを有する。論理パス管理制御装置１０は更に、加入者収容装置設定部１６ａと仮想エッジ設定部１６ｂと加入者収容装置管理制御装置連携部１７ａと仮想エッジ管理制御装置連携部１７ｂとを有する。これら各構成部分は、一方向又は双方向に、信号やデータの入出力が可能な様に接続されている。
【００２５】
論理パス管理部１１ａは、論理パスの利用状況を管理する。論理パス設定部１１ｂは、加入者収容装置と仮想エッジ装置との間に論理パスを設定する。移行可能性論理パス計算部１２は、収集した加入者数情報を基に上位Ｋ個の加入者収容装置を決定し、論理パスを設定する仮想エッジ装置と加入者収容装置とを決定する。加入者収容装置情報格納部１３ａは、加入者収容装置から収集した情報（例えば、加入者数情報）を格納する。仮想エッジ情報格納部１３ｂは、物理装置から収集した情報（例えば、仮想エッジ装置情報）を格納する。加入者収容装置情報収集部１４ａは、加入者収容装置から情報を収集する。仮想エッジ情報収集部１４ｂは、物理装置から情報を収集する。入出力部１５は、各種情報の入出力を行う。加入者収容装置設定部１６ａは、加入者収容装置へ論理パスを設定する。仮想エッジ設定部１６ｂは、仮想エッジ装置へ論理パスを設定する。加入者収容装置管理制御装置連携部１７ａは、加入者収容装置の論理パス情報を連携する。仮想エッジ管理制御装置連携部１７ｂは、仮想エッジ装置の論理パス情報を連携する。
【００２６】
図５は、加入者収容装置管理制御装置２０の構成を示す図である。図５に示す様に、加入者収容装置管理制御装置２０は、論理パス設定部２１と論理パス管理部２２と論理パス管理制御装置連携部２３と入出力部２４と加入者情報収集部２５と加入者情報管理部２６とを有する。これら各構成部分は、一方向又は双方向に、信号やデータの入出力が可能な様に接続されている。
【００２７】
論理パス設定部２１は、加入者収容装置に論理パスを設定させる。論理パス管理部２２は、加入者収容装置に設定された論理パスの利用状況を管理する。論理パス管理制御装置連携部２３は、論理パス管理制御装置１０との間で論理パス情報を連携する。入出力部２４は、各種情報（例えば、論理パス情報）の入出力を行う。加入者情報収集部２５は、加入者収容装置から加入者情報（例えば、加入者数情報）を収集する。加入者情報管理部２６は、収集された加入者情報を管理する。
【００２８】
図６は、仮想エッジ管理制御装置３０の構成を示す図である。図６に示す様に、仮想エッジ管理制御装置３０は、論理パス設定部３１と論理パス管理部３２と論理パス管理制御装置連携部３３と入出力部３４と仮想エッジ情報収集部３５と仮想エッジ情報管理部３６とを有する。これら各構成部分は、一方向又は双方向に、信号やデータの入出力が可能な様に接続されている。
【００２９】
論理パス設定部３１は、物理装置に論理パスを設定させる。論理パス管理部３２は、物理装置に設定された論理パスの利用状況を管理する。論理パス管理制御装置連携部３３は、論理パス管理制御装置１０との間で論理パス情報を連携する。入出力部３４は、各種情報（例えば、論理パス情報）の入出力を行う。仮想エッジ情報収集部３５は、物理装置から仮想エッジ情報（例えば、仮想エッジ装置情報）を収集する。仮想エッジ情報管理部３６は、収集された仮想エッジ情報を管理する。
【００３０】
図７は、加入者収容装置４０−１の構成を示す図である。図７に示す様に、加入者収容装置４０−１は、加入者情報収集部４１−１と加入者情報管理部４２−１と加入者情報設定部４３−１と加入者情報通知部４４−１と論理パス情報収集部４５−１と論理パス管理部４６−１と入出力部４７−１と論理パス設定部４８−１とを有する。これら各構成部分は、一方向又は双方向に、信号やデータの入出力が可能な様に接続されている。
【００３１】
加入者情報収集部４１−１は、加入者情報（例えば、加入者数情報）を収集する。加入者情報管理部４２−１は、加入者情報を管理する。加入者情報設定部４３−１は、加入者情報を設定する。加入者情報通知部４４−１は、加入者情報と論理パス情報とを論理パス管理制御装置１０に通知する。論理パス情報収集部４５−１は、論理パス情報を収集する。論理パス管理部４６−１は、加入者収容装置４０−１と物理装置の仮想エッジ装置との間に設定された論理パスを管理する。入出力部４７−１は、各種情報（例えば、加入者情報、論理パス情報）の入出力を行う。論理パス設定部４８−１は、加入者収容装置４０−１と物理装置の仮想エッジ装置との間に論理パスを設定する。
【００３２】
以上、加入者収容装置４０−１の構成を代表的に説明したが、他の加入者収容装置４０−２、４０−３、４０−Ｘの構成は、加入者収容装置４０−１の構成と同様であるので、その図示及び詳細な説明は省略する。
【００３３】
図８は、物理装置５０−１の構成を示す図である。図８に示す様に、物理装置５０−１は、仮想エッジ情報部５−１と入出力部５−２とを有する。仮想エッジ情報部５−１は更に、仮想エッジ情報収集部５１ａ−１と仮想エッジ管理部５１ｂ−１と仮想エッジ設定部５１ｃ−１と仮想エッジ情報通知部５１ｄ−１と論理パス情報収集部５１ｅ−１と論理パス管理部５１ｆ−１と論理パス設定部５１ｇ−１とを有する。これら各構成部分は、一方向又は双方向に、信号やデータの入出力が可能な様に接続されている。
【００３４】
仮想エッジ情報収集部５１ａ−１は、仮想エッジ装置に設定されている加入者情報を収集する。仮想エッジ管理部５１ｂ−１は、物理装置５０−１に設定された仮想エッジ装置の利用状況を管理する。仮想エッジ設定部５１ｃ−１は、物理装置５０−１に仮想エッジ装置を設定する。仮想エッジ情報通知部５１ｄ−１は、仮想エッジ情報と論理パス情報とを論理パス管理制御装置１０に通知する。論理パス情報収集部５１ｅ−１は、仮想エッジ装置に設定されている論理パス情報を収集する。論理パス管理部５１ｆ−１は、物理装置５０−１の仮想エッジ装置と加入者収容装置との間に設定された論理パスを管理する。論理パス設定部５１ｇ−１は、物理装置５０−１の仮想エッジ装置と加入者収容装置との間に論理パスを設定する。また、入出力部５−２は、各種情報（例えば、仮想エッジ情報、論理パス情報）の入出力を行う。
【００３５】
以上、物理装置５０−１の構成を代表的に説明したが、他の物理装置５０−２、５０−Ｙの構成は、物理装置５０−１の構成と同様であるので、その図示及び詳細な説明は省略する。
【００３６】
次に、動作を説明する。
【００３７】
図９は、論理パス制御システム１の動作を説明するための図である。本実施例では、加入者収容装置（ＯＬＴ）４０−１と仮想エッジ装置（ＶＮＦ）５１−１とを例に採り、動作を説明するが、他の加入者収容装置及び他の仮想エッジ装置に関しても同様の動作が可能である。
【００３８】
まずＳ１では、論理パス管理制御装置１０の仮想エッジ情報収集部１４ｂは、物理装置５０−１の仮想エッジ装置５１−１へ情報取得信号を送信することにより、仮想エッジ情報を収集する。Ｓ２では、物理装置５０−１の仮想エッジ装置５１−１は、仮想エッジ情報を応答する。すなわち、物理装置５０−１の仮想エッジ装置５１−１は、論理パス管理部５１ｆ−１の論理パス情報と、仮想エッジ管理部５１ｂ−１の加入者情報とを、論理パス管理制御装置１０へ送信し、論理パス管理制御装置１０は、論理パス情報と加入者情報とを仮想エッジ情報格納部１３ｂへ格納する。
【００３９】
Ｓ３では、論理パス管理制御装置１０の加入者収容装置情報収集部１４ａは、加入者収容装置４０−１へ加入者情報取得信号を送信することにより、加入者収容装置情報を収集する。Ｓ４では、加入者収容装置４０−１は、加入者収容装置情報を応答する。すなわち、加入者収容装置４０−１は、加入者情報管理部４２−１の加入者数情報と、論理パス管理部４６−１の論理パス情報とを、論理パス管理制御装置１０へ送信し、論理パス管理制御装置１０は、加入者数情報と論理パス情報とを加入者収容装置情報格納部１３ａへ格納する。
【００４０】
Ｓ５では、論理パス管理制御装置１０の移行可能性論理パス計算部１２は、上記Ｓ１〜Ｓ４にて収集した情報を利用し、上位Ｋ個の移行可能性論理パスを決定する。すなわち、移行可能性論理パス計算部１２は、上記Ｓ１〜Ｓ４にて収集した情報をソートし、加入者数が少ない方から上位Ｋ個の物理装置の仮想エッジ装置と、加入者数が多い方から上位Ｋ個の加入者収容装置とを選択する。その後、移行可能性論理パス計算部１２は、選択された物理装置の仮想エッジ装置と加入者収容装置とから、移行可能性論理パスを設定する物理装置の仮想エッジ装置と加入者収容装置との組合せを決定する。
【００４１】
Ｓ６では、論理パス管理制御装置１０の仮想エッジ設定部１６ｂは、Ｓ５で決定された物理装置５０−１の仮想エッジ装置５１−１に対し、Ｓ５で決定された加入者収容装置４０−１への論理パスの設定を指示する。Ｓ７では、物理装置５０−１の論理パス設定部５１ｇ−１は、上記指示に従い、加入者収容装置４０−１への論理パスを設定し、論理パス管理制御装置１０へ、論理パスの設定完了を応答する。
【００４２】
Ｓ８では、論理パス管理制御装置１０の加入者収容装置設定部１６ａは、Ｓ５で決定された加入者収容装置４０−１に対し、Ｓ５で決定された物理装置５０−１の仮想エッジ装置５１−１への論理パスの設定を指示する。Ｓ９では、加入者収容装置４０−１の論理パス設定部４８−１は、上記指示に従い、物理装置５０−１の仮想エッジ装置５１−１への論理パスを設定し、論理パス管理制御装置１０へ、論理パスの設定完了を応答する。
【００４３】
Ｓ１０では、論理パス管理制御装置１０の仮想エッジ管理制御装置連携部１７ｂは、仮想エッジ管理制御装置３０に対し、上記Ｓ６、Ｓ７にて設定された論理パスの情報を送信する。同様に、Ｓ１１では、論理パス管理制御装置１０の加入者収容装置管理制御装置連携部１７ａは、加入者収容装置管理制御装置２０に対し、上記Ｓ８、Ｓ９にて設定された論理パスの情報を送信する。
【００４４】
以上説明した様に、論理パス制御システム１、２、３は、複数の加入者収容装置（ＯＬＴ）４０−１、・・・、４０−Ｘと、複数の物理装置５０−１、・・・、５０−Ｙと、複数の加入者収容装置４０−１、・・・、４０−Ｘと複数の物理装置５０−１、・・・、５０−Ｙの各々に設定された複数の仮想エッジ装置（ＶＮＦ）５１−１、・・・、５Ｘ−Ｙとの間の論理パスＬ１ａ、・・・、Ｌ４ａを制御する論理パス管理制御装置１０とを有する。論理パス管理制御装置１０は、移行可能性論理パス計算部１２と論理パス設定部１１ｂとを有する。移行可能性論理パス計算部１２は、複数の加入者収容装置４０−１、・・・、４０−Ｘの中から、複数の仮想エッジ装置５１−１、・・・、５２−Ｙとの間に論理パスＬ１ａ、・・・、Ｌ２ｃを設定する加入者収容装置４０−１、４０−２を決定する。論理パス設定部１１ｂは、移行可能性論理パス計算部１２により決定された加入者収容装置４０−１、４０−２と、複数の仮想エッジ装置５１−１、・・・、５２−Ｙとの間に、論理パスＬ１ａ、・・・、Ｌ２ｃを設定する。
【００４５】
論理パス管理制御装置１０の移行可能性論理パス計算部１２は、複数の加入者収容装置４０−１、・・・、４０−Ｘの内、加入者数が多い方から所定数の加入者収容装置４０−１、４０−２を選択し、選択された加入者収容装置４０−１、４０−２を、論理パスＬ１ａ、・・・、Ｌ２ｃを設定する加入者収容装置として決定するものとしてもよい。また、上記加入者数は、複数の加入者収容装置４０−１、・・・、４０−Ｘにより提供される特定サービスの加入者数であるものとしてもよい。更に、論理パス管理制御装置１０の移行可能性論理パス計算部１２は、複数の物理装置５０−１、・・・、５０−Ｙの内、リソースに所定量以上の空きのある物理装置５０−１、５０−２を選択し、選択された物理装置５０−１、５０−２に設定された仮想エッジ装置５１−１、・・・、５２−２を、論理パスＬ１ａ、・・・、Ｌ２ｂを設定する仮想エッジ装置として決定するものとしてもよい。
【００４６】
換言すれば、論理パス制御システム１〜３は、加入者状況と物理サーバのリソース状況との内、一方若しくは双方の情報を収集し、移行可能性のある仮想エッジを絞り込む機能を実現する。これにより、設定する論理パスも絞り込まれ、その結果、論理パス数の削減が可能となる。
【００４７】
（変形例）
続いて、上述した論理パス制御システム１、２、３の変形例を説明する。図１０は、論理パス制御システム１、２、３の変形例を説明するための図である。図１０に示す様に、加入者情報、特定サービス加入者数、論理パス情報の各情報の収集方法には、４つのパターンがある。すなわち、論理パス管理制御装置１０から、物理装置５０−１の仮想エッジ装置５１−１と加入者収容装置４０−１とへ情報を収集する第１パターン（Ｔ１）、及び、これとは反対に、物理装置５０−１の仮想エッジ装置５１−１と加入者収容装置４０−１とから論理パス管理制御装置１０へ情報を送信する第２パターン（Ｔ２）がある。更に、論理パス管理制御装置１０から、仮想エッジ管理制御装置３０と加入者収容装置管理制御装置２０とへ情報を収集する第３パターン（Ｔ３）、及び、これとは反対に、仮想エッジ管理制御装置３０と加入者収容装置管理制御装置２０とから論理パス管理制御装置１０へ情報を送信する第４パターン（Ｔ４）がある。
【００４８】
また、加入者情報、特定サービス加入者数は、必ずしも、加入者収容装置管理制御装置２０と仮想エッジ管理制御装置３０と加入者収容装置４０−１と物理装置５０−１の仮想エッジ装置５１−１との全ての装置から取得される必要は無く、少なくとも１つの装置から取得されるものとしてもよい。更に、加入者情報、特定サービス加入者数、論理パス情報の収集タイミングに関しても、上記４つのパターンの各々につき、所定周期で定期的に収集する方法と、管理者が定義した時刻（定刻）に収集する方法との２パターンを適用可能である。
【００４９】
（論理パス制御プログラム）
図１１は、論理パス制御プログラムによる情報処理がコンピュータ１００を用いて具体的に実現されることを示す図である。図１１に示す様に、コンピュータ１００は、例えば、メモリ１０１と、ＣＰＵ（Central  Processing  Unit）１０２と、ハードディスクドライブインタフェース１０３と、ディスクドライブインタフェース１０４と、シリアルポートインタフェース１０５と、ビデオアダプタ１０６と、ネットワークインタフェース１０７とを有し、これらの各部はバスＣによって接続される。
【００５０】
メモリ１０１は、図１１に示す様に、ＲＯＭ（Read  Only  Memory）１０１ａ及びＲＡＭ（Random  Access  Memory）１０１ｂを含む。ＲＯＭ１０１ａは、例えば、ＢＩＯＳ（Basic  Input  Output  System）等のブートプログラムを記憶する。ハードディスクドライブインタフェース１０３は、図１１に示す様に、ハードディスクドライブ１０８に接続される。ディスクドライブインタフェース１０４は、図１１に示す様に、ディスクドライブ１０９に接続される。例えば磁気ディスクや光ディスク等の着脱可能な記憶媒体が、ディスクドライブ１０９に挿入される。シリアルポートインタフェース１０５は、図１１に示す様に、例えばマウス１１０、キーボード１１１に接続される。ビデオアダプタ１０６は、図１１に示す様に、例えばディスプレイ１１２に接続される。
【００５１】
ここで、図１１に示す様に、ハードディスクドライブ１０８は、例えば、ＯＳ（Operating  System）１０８ａ、アプリケーションプログラム１０８ｂ、プログラムモジュール１０８ｃ、プログラムデータ１０８ｄ、加入者情報、仮想エッジ情報、論理パス情報等を記憶する。すなわち、開示の技術に係る論理パス制御プログラムは、コンピュータ１００によって実行される指令が記述されたプログラムモジュール１０８ｃとして、例えばハードディスクドライブ１０８に記憶される。具体的には、上記実施例で説明した論理パス管理部１１ａ、論理パス設定部１１ｂ、移行可能性論理パス計算部１２、加入者収容装置情報格納部１３ａ、仮想エッジ情報格納部１３ｂ、加入者収容装置情報収集部１４ａ、仮想エッジ情報収集部１４ｂ、入出力部１５、加入者収容装置設定部１６ａ、仮想エッジ設定部１６ｂ、加入者収容装置管理制御装置連携部１７ａ、仮想エッジ管理制御装置連携部１７ｂの各々と同様の情報処理を実行する各種手順が記述されたプログラムモジュール１０８ｃが、ハードディスクドライブ１０８に記憶される。また、論理パス制御プログラムによる情報処理に用いられるデータは、プログラムデータ１０８ｄとして、例えばハードディスクドライブ１０８に記憶される。そして、ＣＰＵ１０２が、ハードディスクドライブ１０８に記憶されたプログラムモジュール１０８ｃやプログラムデータ１０８ｄを必要に応じてＲＡＭ１０１ｂに読み出し、上記各種手順を実行する。
【００５２】
なお、論理パス制御プログラムに係るプログラムモジュール１０８ｃやプログラムデータ１０８ｄは、ハードディスクドライブ１０８に記憶される場合に限られず、例えば着脱可能な記憶媒体に記憶され、ディスクドライブ１０９等を介してＣＰＵ１０２によって読み出されてもよい。あるいは、論理パス制御プログラムに係るプログラムモジュール１０８ｃやプログラムデータ１０８ｄは、ネットワーク（ＬＡＮ（Local  Area  Network）、ＷＡＮ（Wide  Area  Network）等）を介して接続された他のコンピュータに記憶され、ネットワークインタフェース１０７を介してＣＰＵ１０２によって読み出されてもよい。
【００５３】
なお、方式１−２及び方式１−４に係る論理パス制御システムでは、論理パス管理制御装置１０は、加入者数または特定サービス加入者数に基づく仮想エッジ装置の選出を行った上で、物理装置のリソース状況を参照するものとした。しかしながら、論理パス管理制御装置１０は、加入者数または特定サービス加入者数に基づく仮想エッジ装置の選出を行うことなく、物理装置のリソース状況を参照して、設定する論理パスの選択を行うものとしてもよい。換言すれば、論理パス管理制御装置１０は、移行可能性仮想エッジ装置を決定するためのパラメータとして、物理装置のリソース状況のみを使用するものとしてもよい。これにより、論理パス管理制御装置１０は、少ないパラメータを用いた簡易な処理により、論理パス数を減少させることができる。
【００５４】
また、加入者収容装置の上位Ｋ個の値は、必ずしも固定値でなくてもよく、加入者数や加入者収容装置数、あるいは、キャリア通信網におけるトラヒック量等に応じて、システム管理者等が可変的に設定するものとしてもよい。更に、論理パス管理制御装置１０の移行可能性論理パス計算部１２は、加入者数が上位Ｋ個の加入者収容装置を、論理パスの設定対象として選択するものとしたが、選択の方法はこれに限らず、例えば、加入者数が所定の閾値（例えば、３００）以上の加入者収容装置を選択するものとしてもよい。また、論理パス管理制御装置１０が、論理パスの設定対象となる加入者収容装置（ＯＬＴ）及び仮想エッジ装置（ＶＮＦ）を選択する指標としても、加入者数の大小やリソースの空き状況に限らず、例えば、加入サービス種別、実際に通信中の接続者数や通信データ量、通信料金等を用いてもよい。
【００５５】
また、上述した論理パス制御システム１〜３の各構成要素は、必ずしも物理的に図示の如く構成されていることを要しない。すなわち、各装置の分散・統合の具体的態様は、図示のものに限らず、その全部又は一部を、各種の負荷や使用状況等に応じて、任意の単位で機能的又は物理的に分散・統合して構成することもできる。例えば、論理パス管理制御装置１０に関し、加入者収容装置情報格納部１３ａと仮想エッジ情報格納部１３ｂ、あるいは、加入者収容装置情報収集部１４ａと仮想エッジ情報収集部１４ｂを１つの構成要素として統合してもよい。反対に、移行可能性論理パス計算部１２に関し、上位Ｋ個の加入者収容装置を選択する部分と、仮想エッジ装置と加入者収容装置との組合せを決定する部分とに分散してもよい。更に、加入者情報、仮想エッジ情報、論理パス情報等を格納するハードディスクドライブ１０８を、論理パス制御システム１〜３の外部装置として、ネットワークやケーブル経由で接続する様にしてもよい。
【符号の説明】
【００５６】
１、２、３  論理パス制御システム
５−１  仮想エッジ情報部
５−２  入出力部
１０  論理パス管理制御装置
１１ａ  論理パス管理部
１１ｂ  論理パス設定部
１２  移行可能性論理パス計算部
１３ａ  加入者収容装置情報格納部
１３ｂ  仮想エッジ情報格納部
１４ａ  加入者収容装置情報収集部
１４ｂ  仮想エッジ情報収集部
１５  入出力部
１６ａ  加入者収容装置設定部
１６ｂ  仮想エッジ設定部
１７ａ  加入者収容装置管理制御装置連携部
１７ｂ  仮想エッジ管理制御装置連携部
２０  加入者収容装置管理制御装置
２１  論理パス設定部
２２  論理パス管理部
２３  論理パス管理制御装置連携部
２４  入出力部
２５  加入者情報収集部
２６  加入者情報管理部
３０  仮想エッジ管理制御装置
３１  論理パス設定部
３２  論理パス管理部
３３  論理パス管理制御装置連携部
３４  入出力部
３５  仮想エッジ情報収集部
３６  仮想エッジ情報管理部
４０−１、４０−２、４０−３、・・・、４０−Ｘ  加入者収容装置（ＯＬＴ）
４１−１  加入者情報収集部
４２−１  加入者情報管理部
４３−１  加入者情報設定部
４４−１  加入者情報通知部
４５−１  論理パス情報収集部
４６−１  論理パス管理部
４７−１  入出力部
４８−１  論理パス設定部
５０−１、５０−２、・・・、５０−Ｙ  物理装置
５０ａ−１、５０ａ−２、・・・、５０ａ−Ｙ  物理ＣＰＵ
５０ｂ−１、５０ｂ−２、・・・、５０ｂ−Ｙ  物理メモリ
５１−１、５１−２、・・・、５１−Ｙ、５２−１、５２−２、・・・、５２−Ｙ、５３−１、５３−２、・・・、５３−Ｙ、５Ｘ−１、５Ｘ−２、・・・、５Ｘ−Ｙ  仮想エッジ装置（ＶＮＦ）
５１ａ−１  仮想エッジ情報収集部
５１ｂ−１  仮想エッジ管理部
５１ｃ−１  仮想エッジ設定部
５１ｄ−１  仮想エッジ情報通知部
５１ｅ−１  論理パス情報収集部
５１ｆ−１  論理パス管理部
５１ｇ−１  論理パス設定部
１００  コンピュータ
１０１  メモリ
１０１ａ  ＲＯＭ
１０１ｂ  ＲＡＭ
１０２  ＣＰＵ
１０３  ハードディスクドライブインタフェース
１０４  ディスクドライブインタフェース
１０５  シリアルポートインタフェース
１０６  ビデオアダプタ
１０７  ネットワークインタフェース
１０８  ハードディスクドライブ
１０８ａ  ＯＳ
１０８ｂ  アプリケーションプログラム
１０８ｃ  プログラムモジュール
１０８ｄ  プログラムデータ
１０９  ディスクドライブ
１１０  マウス
１１１  キーボード
１１２  ディスプレイ
２００  論理パス制御システム
２００Ｎ  論理パスネットワーク
２１０  論理パス管理制御装置
２３０  仮想エッジ管理制御装置
２４０−１、２４０−２、２４０−３、・・・、２４０−Ｘ  加入者収容装置（ＯＬＴ）
２５０−１、２５０−２、・・・、２５０−Ｙ  物理装置
２５０ａ−１、２５０ａ−２、・・・、２５０ａ−Ｙ  物理ＣＰＵ
２５０ｂ−１、２５０ｂ−２、・・・、２５０ｂ−Ｙ  物理メモリ
２５１−１、２５１−２、・・・、２５１−Ｙ、２５２−１、２５２−２、・・・、２５２−Ｙ、２５３−１、２５３−２、・・・、２５３−Ｙ、２５Ｘ−１、２５Ｘ−２、・・・、２５Ｘ−Ｙ  仮想エッジ装置（ＶＮＦ）
Ｃ  バス
Ｌ１ａ、Ｌ１ｂ、Ｌ１ｃ、Ｌ２ａ、Ｌ２ｂ、Ｌ２ｃ、Ｌ３ａ、Ｌ４ａ、Ｌ２０１ａ、Ｌ２０１ｂ、Ｌ２０１ｃ、Ｌ２０２ａ、Ｌ２０２ｂ、Ｌ２０２ｃ、Ｌ２０３ａ、Ｌ２０３ｂ、Ｌ２０３ｃ、Ｌ２０４ａ、Ｌ２０４ｂ、Ｌ２０４ｃ  論理パス
Ｎ  論理パスネットワーク
【図１】
0006317271.tif 000002
【図２】
0006317271.tif 000003
【図３】
0006317271.tif 000004
【図４】
0006317271.tif 000005
【図５】
0006317271.tif 000006
【図６】
0006317271.tif 000007
【図７】
0006317271.tif 000008
【図８】
0006317271.tif 000009
【図９】
0006317271.tif 000010
【図１０】
0006317271.tif 000011
【図１１】
0006317271.tif 000012
【図１２】
0006317271.tif 000013